(57)【特許請求の範囲】
【請求項１】
上下に同一回転軸を中心に回転する回転型物を配置し、これら回転型物と一体に回転する回転つまみを操作することで、それぞれの電気的出力を変化させる多重回転式電子部品において、
前記上下の回転型物の回転中心部分に上下動自在にロックピンを挿通し、該ロックピンに前記下側の回転型物に設けられた係合部に係合するストッパーを設け、
前記ロックピンの上昇位置で、前記係合部とストッパーが係合して、前記下側の回転型物の回転をロックし、
前記ロックピンの下降位置で、前記係合部とストッパーが係合しなくなり、前記下側の回転型物の回転のロックが解除されることを特徴とする多重回転式電子部品。
【発明の詳細な説明】
【０００１】
【発明の属する技術分野】
本発明は、下側の回転型物の回転をロックすることができる多重回転式電子部品に関するものである。
【０００２】
【従来の技術】
従来、例えばビデオカメラなどの携帯機器に用いられる各種電子部品において、複数の回転式電子部品の回転型物を同一回転軸を中心に回転するように上下に配置し、この回転型物と一体に回転する回転つまみを操作することで、それぞれの電気的出力を変化させる多重回転式電子部品がある。
【０００３】
この多重回転式電子部品には、上下の何れかの回転式電子部品に設けたロック機構のロックピンを回転つまみから突出させておくことで通常は回転つまみをロックさせておき、このロックピンを押し込むことでロックを解除し回転つまみを回転できる構成としたものがある。
【０００４】
そして、上記構成の多重回転式電子部品において、上側の回転式電子部品には、これをロックするロック機構を設ける設置スペースがあるが、下側の回転式電子部品には、これをロックするロック機構を設ける設置スペースが少なく、また、下側の回転式電子部品にロック機構を設けることは、この多重回転式電子部品の構成が複雑となるため、下側の回転式電子部品にロック機構を設けることは困難であった。
【０００５】
【発明が解決しようとする課題】
本発明は上述の点に鑑みてなされたものでありその目的は、小型化が図れ、簡単な構成で下側の回転型物の回転をロックすることができる多重回転式電子部品を提供することを目的とする。
【０００６】
【課題を解決するための手段】
上記問題点を解決するため本発明は、上下に同一回転軸を中心に回転する回転型物を配置し、これら回転型物と一体に回転する回転つまみを操作することで、それぞれの電気的出力を変化させる多重回転式電子部品において、上下の回転型物の回転中心部分に上下動自在にロックピンを挿通し、該ロックピンに下側の回転型物に設けられた係合部に係合するストッパーを設け、ロックピンの上昇位置で、係合部とストッパーが係合して、下側の回転型物の回転をロックし、ロックピンの下降位置で、係合部とストッパーが係合しなくなり、下側の回転型物の回転のロックが解除されることを特徴とする。
【０００７】
また、上記下降したロックピンが上昇位置に復帰するようにロックピンを上方向に弾発する弾発部材を設けることが好ましい。
【０００８】
【発明の実施の形態】
以下、本発明の実施の形態を図面を参照して詳細に説明する。
図１は本発明の一実施形態にかかる多重回転式電子部品を示す概略断面図であり、図２、図３及び図４は多重回転式電子部品の分解斜視図であり、図２、図３及び図４を合わせて多重回転式電子部品全体の分解斜視図になるものである。
【０００９】
図１に示すようにこの多重回転式電子部品は、第１回転式電子部品１０の上に、第２回転式電子部品１００を重ねるように配置して構成されている。具体的には、第１回転式電子部品１０は、第１基台１１上に、第１基板２０と、第１回転型物（回転つまみ）３０と、第１クリック板４０と、軸支部材５０と、ロックピン６０とを取り付けて構成されている。一方第２回転式電子部品１００は、第２基台１１０上に、第２基板１２０と、第２回転型物１３０と、第２クリック板１４０と、ケース１５０と、第２回転つまみ１６０とを取り付けて構成されている。以下各構成部品について説明する。
【００１０】
第１基台１１は合成樹脂を円板状に成形して構成されており、その中央に略長方形状のストッパー収容部１２を設け、その外周に六つの小穴１３が設けられている。また、第一基台１１の外周面の一部分は上方に突出しており、その上面の所定の位置に突起１４が突出している。なお、第１基台１１には、第１基板２０の引き出し部２２を多重回転式電子部品の外部に引き出す開口１５が設けられている。
【００１１】
第１基板２０はフレキシブル基板であり、略円弧状に形成されたシート部分の表面に所望の第１摺接パターン２１を設けて構成されている。第１基板２０の根元部分にはこれを外部に引き出す引き出し部２２と、下記する第２基板１２０に連結する連結部２３とが反対方向に向けて引き出されている。第１基板２０と連結部２３の接続部分には、２つの固定用穴２４が設けられている。
【００１２】
図５は第１回転型物３０及びこれに取り付ける部品を下面側から見た斜視図である。図４及び図５に示すように第１回転型物３０は合成樹脂を略円板状に成形し、その上面に円形凹状のクリック収納部３１を設け、その中央に下面に連通する円形の開口３２を設け、第一回転型物３０の下面外周にリング状の突起収納部３３を設け、この突起収納部３３の所定の二箇所にストッパー３４を設け、一方その下面には開口３２の周囲に複数個（本実施形態例では五個）の係合部３５と、その半径方向外側に摺動子収納部３６とを設けて構成されている。またこの第１回転型物３０は第１回転つまみでもある。
【００１３】
また、クリック板収納部３１には、弾性金属板をリング状に形成した第１クリックバネ７０を収納し、その際クリック板収納部３１に設けた小突起３７をクリックバネ７０に設けた小穴７１に挿入してその先端を熱カシメすることで固定する。なおこのクリックバネ７０の所定位置には弾発部７２が設けられている。
【００１４】
そして、摺動子収納部３６には、弾性金属板製の第１摺動子８０の基部８１を収納し、その際摺動子収納部３６に設けた小突起３８を基部３１に設けた小穴８２に挿入してその先端を熱カシメすることで固定する。なお基部８１の端部からはＵ字状に折り曲げられて突出する摺接部８３が設けられている。
【００１５】
第１クリック板４０は金属板製であり、中央に開口４１を設け、下記する軸支部材５０の２つの突起５９に対向する位置にそれぞれ小穴４２を設け、またその所定位置に複数のクリック係合穴４３を設けて構成されている。
【００１６】
次に図３に示すように軸支部材５０は合成樹脂成形品であり、略円板状の載置部５１の下面から筒状の軸支部を突出し、これによって軸支部の中央に貫通する挿通部５３を設けて構成されている。載置部５１の外周近傍の三箇所には貫通する小穴５４が設けられ、また載置部５１上面にはその外周から挿通部５３に至る凹状の基板収納部５５が設けられている。なお載置部５１の外周六箇所には、下記するケース１５０の六つの小突起１５３を挿入する凹部５６が設けられている。
【００１７】
ここで図６は軸支部材５０を下面側から見た斜視図である。同図及び図３に示すように軸支部５２の外周の所定位置には、下記に示すストッパー６２の回転を防止するするための開口部５８が設けられ、その下端辺からは六本の小突起５７が突出し、また載置部５１の下面の二箇所に突起５９が設けられている。
【００１８】
ロックピン６０は、図１、図２及び図４に示すようにロックピン本体６１、コイルスプリングＳ、ストッパー６２、ネジ６３より構成されている。ロックピン本体６１は、円柱状の合成樹脂成形品であり、その上部に押圧部６４が設けられ、この押圧部６４の下面外周には鍔部６４ａが設けられ、ロックピン本体６１の下面中央には孔６５が設けられている。また、ロックピン本体６１の外周下端には、下側に向かって小突起６６が突出している。コイルスプリングＳは、弾性金属製の線材より構成されており、その内周はロックピン本体６１の外周よりも若干大きいものである。ストッパー６２は略長方形状の金属板製であり、その所定箇所に上記孔６５、小突起６６に対向する位置にそれぞれ孔６７、６８が設けられ、ストッパー６２の長手方向の一端に舌片状の突起６９が突出している。ネジ６３は、ストッパー６２をロックピン本体６１に固定するためのものである。
【００１９】
図３に戻って第２基台１１０は、金属板を略円形に形成して構成されており、その中央には円形の穴１１１が設けられ、またその外周には下方向に向かって折り曲げられた三本の舌片状の係止片１１２が設けられ、また外周近傍の六箇所には小穴１１３が設けられている。
【００２０】
第２基板１２０はフレキシブル基板であり、略円板状の部分の表面に所望の第２摺接パターン１２１を設けて構成されている。第２基板１２０の外周からは前記第１基板２０に接続される連結部２３が突出している。第２基板１２０の中央には円形の穴１２２が設けられ、また外周近傍の五箇所には小穴１２３が設けられている。
【００２１】
第２回転型物１３０は合成樹脂を略円板状に成形して構成されており、その上面中央からは係止用突起部１３１が突出し、更にその中央には第１回転型物３０の下面に連通する開口１３２が設けられている。係止用突起部１３１の周囲には二つの切り欠き１３３が設けられ、その内部には小突起１３４が設けられている。係止用突起部１３１の上面には３つの貫通する円弧状の孔１３５が設けられている。またこの第２回転型物１３０の下面には、弾性金属板からなる第２摺動子１７０が固定される。第２摺動子１７０は前記第１摺動子８０と同じ形状であり、同じ方法で第２回転型物１３０の下面に固定される。
【００２２】
第２クリック板１４０は金属板をリング状に形成して構成されており、複数個のクリック係合穴１４１を設け、また中央の孔１４２に向けて２つの舌片状の突起１４３を突出し、その中に小穴１４４を設けて構成されている。この第２クリック板１４０は第２回転型物１３０の上面に載置されることで、第２回転型物１３０の係止用突起部１３１が孔１４２に挿入され、その際各突起１４３は切り欠き１３３に係合され、小突起１３４は小孔１４４に挿入されて位置決めされる。
【００２３】
図７はケース１５０及び第２クリックバネ１８０を裏面側から見た斜視図である。同図及び図２に示すように、ケース１５０は合成樹脂を下面が開放された円形の箱型に成形して構成されており、その上面中央には貫通する穴１５１が設けられ、ケース１５０上面の外周辺部分にはストッパー挿入溝１５２が形成され、一方ケース１５０の外周下辺からは六個の小突起１５３を突出し、またケース１５０下面の穴１５１の周囲からも２つの小突起１５４を突出している。
【００２４】
ケース１５０の下面には弾性金属板をリング状に形成してなるクリックバネ１８０が取り付けられるが、その際ケース１５０の２つの小突起１５４をクリックバネ１８０に設けた２つの穴１８１に挿入して熱カシメして固定する。クリックバネ１８０には２つの弾接部１８２が設けられている。
【００２５】
図８は第２回転つまみ１６０を裏面側から見た斜視図である。この第２回転つまみ１６０は合成樹脂を円形に成形して構成され、その中央には開口１６１が設けられ、この開口１６１の下面近傍から三本の係止突起１６２を突出し、さらにその下面外周近傍部分にストッパー１６３を設けている。
【００２６】
次にこの多重回転式電子部品の組立方法を説明する。まず第２回転つまみ１６０の下面にクリックバネ１８０を取り付けたケース１５０を挿入し、第２回転つまみ１６０の係止突起１６２をケース１５０の穴１５１に回動自在に挿入して軸支する。
【００２７】
次にロックピン本体６１にコイルスプリングＳを挿入し、このロックピン本体６１を第２回転つまみ１６０の係止突起１６２の内側に収納する。このとき、押圧部６４の鍔部６４ａは、第２回転つまみ１６０の開口１６１の下面周辺に当接するので、ロックピン本体６１が開口１６１から抜けることはない。
【００２８】
次に第２摺動子１７０と第２クリック板１４０とを取り付けた第２回転型物１３０をケース１５０の下面に収納するが、その際第２回転つまみ１６０の３つの係止突起１６２を第２回転型物１３０の３つの孔１３５に挿入し、第２回転型物１３０の下面から突出した係止突起１６２先端を熱カシメすることで第２回転つまみ１６０と第２回転型物１３０とを一体に固定する。
【００２９】
次に第２回転型物１３０の下側に第２基板１２０と第２基台１１０とを配置し、ケース１５０下面の各小突起１５３を第２基台１１０の各小穴１１３に挿入してその裏面側で熱カシメして固定する。このとき、ロックピン６０のコイルスプリングＳは第２基板１２０の上面とロックピン本体６１の鍔部６４ａの間を弾発する。
【００３０】
次に第１基板の引き出し部２２と第１基板２０を軸支部材５０の挿通部５３内にその上側から挿通した上で、軸支部材５０の載置部５１上に第２基台１１０を載せ、各係止片１１２をそれぞれ各小穴５４に挿入してその裏面で折り曲げて固定する。このとき連結部２３は基板収納部５５内を通っている。
【００３１】
次に軸支部材５０の下側にクリック板４０を配置し、軸支部材５０の下面の各突起５９をクリック板４０の各小穴４２に挿入してその裏面側で熱カシメして固定する。
【００３２】
次に第１クリックバネ７０と第１摺動子８０とを取り付けた第１回転型物３０の開口３２に第１基板２０の引き出し部２２と第１基板２０の部分をその上側から挿通し、さらに軸支部材５０の軸支部５２を開口３２に挿入して回転自在に軸支する。
【００３３】
次にストッパー６２の突起６９を軸支部材５０の開口部５８及び第１回転型物３０の係合部３５内に収容し、軸支部材５０の挿通部５３に挿入されたロックピン本体６１の下面に設けられた小突起６６に孔６８を挿入し、ネジ６３をストッパー６２の孔６７及びロックピン本体６１の孔６５に挿入し固定する。
【００３４】
次に第１回転型物３０の下に第１基板２０を位置せしめた状態でその下に第１基台１１を配置し、これによって軸支部材５０に設けた六つの小突起５７の内の二つを第１基板２０の２つの固定用穴２４に挿入するとともに、引き出し部２２を第１基台１１の開口１５に挿入し、さらに六つの小突起５７を第１基台１１に設けた六つの小穴１３に挿入してその先端を熱カシメし、これによってこの二重回転式電子部品の組立を完了する。このときロックピン６０のストッパー６２は第１基台１１のストッパー収容部１２に配置されている。
【００３５】
次にこの二重回転式電子部品の動作を説明する。図１において上側の第２回転つまみ１６０を回転すればこれと一体に第２回転型物１３０が回転し、第２摺動子１７０が第２基板１２０の第１摺接パターン１２１上を摺動してその電気的出力を変化すると同時に、第２クリックバネ１８０の弾接部１８２が第２クリック板１４０のクリック係合穴１４１への挿入・離脱を繰り返すことでクリック感覚を生じる。なお第２回転型物１３０の回動範囲は、第２回転つまみ１６０に設けたストッパー１６３がケース１５０に設けたストッパー挿入溝１５２内を移動できる範囲である。
【００３６】
図９は、第一回転型物３０の動作説明図である。同図（ａ）の状態から、ロックピン６０の押圧部６４を押圧すると、即ちロックピン６０が下降位置に移動すると、同図（ｂ）に示すようにストッパー６２の突起６９が係合部３５と係合しなくなりロックが解除され、第１回転型物３０が回転可能となる。そして、ロックピン６０を押圧したまま第１回転型物３０を回転すると、第１摺動子８０が第１基板２０の第２摺接パターン２１上を摺動してその電気的出力を変化すると同時に、第１クリックバネ７０の弾接部７２が第１クリック板４０のクリック係合穴４３への挿入・離脱を繰り返すことでクリック感覚を生じる。
【００３７】
第１回転型物３０を回転させた後、ロックピン６０の押圧を解除すると、第２基板１２０の上面とロックピン本体６１の鍔部６４ａ下面の間に設けたコイルスプリングＳの弾発力により、下降位置にあるロックピン６０が上昇位置に復帰すると同時に、ストッパー６２の突起６９が係合部３５と係合し、第１回転型物３０が回転しないようにロックする（図９（ａ）参照）。なお、第１回転型物３０の係合部３５は、第１クリック板４０のクリック係合穴４３に第１クリックバネ７０の弾接部７２を挿入したときにストッパー６２の突起６９がこの係合部３５と係合する位置に設けられている。また、第１回転型物３０の回動範囲は、第１基台１１に設けた突起１４が第１回転型物３０に設けた突起収容部３３に設けられた二箇所のストッパー３４の間を移動できる範囲である。
【００３８】
つまりこの二重回転式電子部品は、第２回転型物１３０を回転することで電気的出力が変化するように構成され、一方第１回転型物３０は回転できないロックの状態から、ロックピン６０を下降位置に移動することで回転可能にロックを解除し、第１回転型物３０を回転することで電気的出力が変化するようにし、ロックピン６０を上昇位置に移動することで再びロックするように構成されている。
【００３９】
この多重回転式電子部品は図１に示すように、ロックピン６０を第１回転式電子部品１０と第２回転式電子部品１００の回転軸中心部に挿通するように設けたので、小型化が図れ、簡単な構成で下側の回転型物の回転をロックすることができる。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００４１】
【発明の効果】
以上詳細に説明したように本発明によれば、上下の回転型物の回転中心部分に上下動自在にロックピンを挿通し、該ロックピンに下側の回転型物に設けられた係合部に係合するストッパーを設けたので、小型化が図れ、簡単な構成で下側の回転型物の回転をロックすることができるという優れた効果を有する。
【図面の簡単な説明】
【図１】本発明の一実施形態にかかる多重回転式電子部品の概略断面図である。
【図２】多重回転式電子部品の分解斜視図（その１）を示す図である。
【図３】多重回転式電子部品の分解斜視図（その２）を示す図である。
【図４】多重回転式電子部品の分解斜視図（その３）を示す図である。
【図５】第一回転型物３０及びこれに取り付けられる部品を下面側から見た斜視図である。
【図６】軸材部材５０を下面側から見た斜視図である。
【図７】ケース１５０とクリックバネ１８０を下面側から見た斜視図である。
【図８】第二回転つまみ１６０を下面側から見た斜視図である。
【図９】第１回転型物３０の動作説明図である。
【符号の説明】
１０  第１回転式電子部品
１１  第一基台
２０  第１基板
３０  第１回転型物（第１回転つまみ）
４０  第１クリック板
５０  軸支部材
６０  ロックピン
７０  第１クリックバネ
８０  第１摺動子
１００  第２回転式電子部品
１１０  第２基台
１２０  第２基板
１３０  第２回転型物
１４０  第２クリック板
１５０  ケース
１６０  第２回転つまみ
１７０  第２摺動子
１８０  第２クリックバネ
【図１】
0003821696.tif 000002
【図２】
0003821696.tif 000003
【図３】
0003821696.tif 000004
【図４】
0003821696.tif 000005
【図５】
0003821696.tif 000006
【図６】
0003821696.tif 000007
【図７】
0003821696.tif 000008
【図８】
0003821696.tif 000009
【図９】
0003821696.tif 000010